【手続補正書】
【提出日】令和1年6月26日(2019.6.26)
【手続補正１】
【補正対象書類名】明細書
【補正対象項目名】０００７
【補正方法】変更
【補正の内容】
【０００７】
本発明に係る計算装置は、入力された数値データに対して、第１税計算キーの操作に応じて当該第１税計算キーに対応する第１税率に基づき第１の税計算結果に係わる数値データを算出する第１税計算手段と、入力された数値データに対して、第２税計算キーの操作に応じて当該第２税計算キーに対応する第２税率に基づき第２の税計算結果に係わる数値データを算出する第２税計算手段と、第３税計算キーの操作に応じて、前記第１税計算手段により算出された第１の税計算結果に係わる数値データと前記第２税計算手段により算出された第２の税計算結果に係わる数値データとを合計した税計算結果の総合計額の数値データを取得させる税計算結果総合計額取得手段と、預かりの数値データが入力され、前記税計算結果総合計額取得手段により前記税計算結果の総合計額の数値データを取得後にお釣りキーの操作が行われたことに応じて、前記預かりの数値データから前記税計算結果の総合計額の数値データを減算した数値データをお釣りの数値データとして取得させる税計算結果総合計お釣り取得手段と、を備えたことを特徴としている。
【手続補正２】
【補正対象書類名】特許請求の範囲
【補正対象項目名】全文
【補正方法】変更
【補正の内容】
【特許請求の範囲】
【請求項１】
入力された数値データに対して、第１税計算キーの操作に応じて当該第１税計算キーに対応する第１税率に基づき第１の税計算結果に係わる数値データを算出する第１税計算手段と、
入力された数値データに対して、第２税計算キーの操作に応じて当該第２税計算キーに対応する第２税率に基づき第２の税計算結果に係わる数値データを算出する第２税計算手段と、
第３税計算キーの操作に応じて、前記第１税計算手段により算出された第１の税計算結果に係わる数値データと前記第２税計算手段により算出された第２の税計算結果に係わる数値データとを合計した税計算結果の総合計額の数値データを取得させる税計算結果総合計額取得手段と、
預かりの数値データが入力され、前記税計算結果総合計額取得手段により前記税計算結果の総合計額の数値データを取得後にお釣りキーの操作が行われたことに応じて、前記預かりの数値データから前記税計算結果の総合計額の数値データを減算した数値データをお釣りの数値データとして取得させる税計算結果総合計お釣り取得手段と、を備えたことを特徴とする計算装置。
【請求項２】
前記税計算結果総合計額取得手段により税計算結果の総合計額の数値データを取得させるときに、前記税計算結果の総合計額の数値データをお釣り計算用合計メモリへ記憶し、前記税計算結果総合計お釣り取得手段により前記減算した数値データを前記お釣りの数値データとして取得するときに、前記税計算結果の総合計額の数値データを、前記お釣り計算用合計メモリから取得する、お釣り計算用合計記憶読出し手段を、さらに備えることを特徴とする請求項１に記載の計算装置。
【請求項３】
前記税計算結果総合計額取得手段により税計算結果の総合計額の数値データが取得された後、前記第１税計算キー及び前記第２税計算キーの何れかの税計算キーの操作に応じて、前記第１の税計算結果及び前記第２の税計算結果のうちの前記何れかの税計算キーに対応する何れかの税計算結果を合計した税率毎の税計算結果の合計額の数値データを取得させる税率毎税計算結果合計額取得手段と、
預かりの数値データが入力され、前記税率毎税計算結果合計額取得手段により前記税率毎の税計算結果の合計額の数値データが取得後に前記お釣りキーの操作が行われたことに応じて、前記預かりの数値データから前記税率毎の税計算結果の合計額の数値データを減算した数値データを税率毎のお釣りの数値データとして取得させる税率毎税計算結果合計お釣り取得手段と、を備えたことを特徴とする請求項１又は請求項２に記載の計算装置。
【請求項４】
前記税率毎税計算結果合計額取得手段により税率毎の税計算結果の合計額の数値データを取得させるときに、前記税率毎の税計算結果の合計額の数値データをお釣り計算用合計メモリへ記憶し、前記税率毎税計算結果合計お釣り取得手段により前記減算した数値データを前記税率毎のお釣りの数値データとして取得するときに、前記税率毎の税計算結果の合計額の数値データを、前記お釣り計算用合計メモリから取得する、税率毎お釣り計算用合計記憶読出し手段を、さらに備えることを特徴とする請求項３に記載の計算装置。
【請求項５】
前記第１税計算手段は、前記第１の税計算結果として、第１税率に基づく第１税込額、第１税抜額及び第１税額を算出し、
前記第２税計算手段は、前記第２の税計算結果として、第２税率に基づく第２税込額、第２税抜額及び第２税額を算出し、
前記税計算結果総合計額取得手段は、前記第１税込額と前記第２税込額とを合計した税込総合計額の数値データを取得させ、
前記税率毎税計算結果合計額取得手段は、前記何れかの税計算キーに対応する税込額を合計した税率毎の税込合計額の数値データを取得させ、
前記税計算結果総合計額取得手段により前記税込総合計額の数値データが取得された後、前記何れかの税計算キーの操作毎に、前記税率毎の税込合計額の数値データと、当該税率毎の税込合計額に対応する税抜合計額の数値データと、当該税率毎の税込合計額に対応する税合計額の数値データとを、切り替えて表示させる税率毎税合計切り替え表示手段、をさらに備え、
前記税率毎税計算結果合計お釣り取得手段は、前記税率毎税合計切り替え表示手段により前記税率毎の税込合計額の数値データが表示中に預かりの数値データが入力され、その後前記お釣りキーの操作が行われたことに応じて、前記預かりの数値データから前記税率毎の税込合計額の数値データを減算した数値データを前記税率毎のお釣りの数値データとして取得させる、ことを特徴とする請求項３又は請求項４に記載の計算装置。
【請求項６】
前記第１税計算手段は、前記第１の税計算結果として、第１税率に基づく第１税込額、第１税抜額及び第１税額を算出し、
前記第２税計算手段は、前記第２の税計算結果として、第２税率に基づく第２税込額、第２税抜額及び第２税額を算出し、
前記税計算結果総合計額取得手段は、前記第１税込額と前記第２税込額とを合計した税込総合計額の数値データを取得させ、
前記税計算結果総合計額取得手段により税込総合計額の数値データが取得された後、前記第３税計算キーの操作毎に、前記税込総合計額の数値データと、当該税込総合計額に対応する税抜総合計額の数値データと、当該税込総合計額に対応する税総合計額の数値データとを、切り替えて表示させる総合計切り替え表示手段、をさらに備え、
前記税計算結果総合計お釣り取得手段は、前記総合計切り替え表示手段により前記税込総合計額の数値データが表示中に預かりの数値データが入力され、その後前記お釣りキーの操作が行われたことに応じて、前記預かりの数値データから前記税込総合計額の数値データを減算した数値データを前記お釣りの数値データとして取得させる、ことを特徴とする請求項１乃至請求項５の何れか１項に記載の計算装置。
【請求項７】
計算装置のコンピュータにより、
入力された数値データに対して、第１税計算キーの操作に応じて当該第１税計算キーに対応する第１税率に基づき第１の税計算結果に係わる数値データを算出し、
入力された数値データに対して、第２税計算キーの操作に応じて当該第２税計算キーに対応する第２税率に基づき第２の税計算結果に係わる数値データを算出し、
第３税計算キーの操作に応じて、前記第１の税計算結果に係わる数値データと前記第２の税計算結果に係わる数値データとを合計した税計算結果の総合計額の数値データを取得させ、
預かりの数値データが入力され、前記税計算結果の総合計額の数値データを取得後にお釣りキーの操作が行われたことに応じて、前記預かりの数値データから前記税計算結果の総合計額の数値データを減算した数値データをお釣りの数値データとして取得させる、ようにした計算方法。
【請求項８】
コンピュータを、
入力された数値データに対して、第１税計算キーの操作に応じて当該第１税計算キーに対応する第１税率に基づき第１の税計算結果に係わる数値データを算出する第１税計算手段と、
入力された数値データに対して、第２税計算キーの操作に応じて当該第２税計算キーに対応する第２税率に基づき第２の税計算結果に係わる数値データを算出する第２税計算手段と、
第３税計算キーの操作に応じて、前記第１税計算手段により算出された第１の税計算結果に係わる数値データと前記第２税計算手段により算出された第２の税計算結果に係わる数値データとを合計した税計算結果の総合計額の数値データを取得させる税計算結果総合計額取得手段と、
預かりの数値データが入力され、前記税計算結果総合計額取得手段により前記税計算結果の総合計額の数値データを取得後にお釣りキーの操作が行われたことに応じて、前記預かりの数値データから前記税計算結果の総合計額の数値データを減算した数値データをお釣りの数値データとして取得させる税計算結果総合計お釣り取得手段、として機能させるためのコンピュータ読み込み可能なプログラム。